(57)【要約】【課題】  煙や香りを楽しむことができると共に、色変化による意外性や変色の妙味を付与した新奇性を有する線香又は薫香用変色性燃焼具を提供する。【解決手段】  線香又は薫香を収容して燃焼させる下室部と、下室部上方に位置し、且つ、下室部と連通する上室部と、排気孔を設けた中空体２からなり、少なくとも上室部を形成する中空体が温度変化により可逆的に変色する線香又は薫香用変色性燃焼具１。  前記上室部を形成する中空体には、外面に可逆熱変色性材料を含む可逆熱変色層３を設けたり、或いは、上室部を形成する中空体を可逆熱変色性材料を含有し樹脂成形体により形成してなる。【選択図】  図３
2009183650.tif 000002
【特許請求の範囲】
【請求項１】
線香又は薫香を収容して燃焼させる下室部と、下室部上方に位置し、且つ、下室部と連通する上室部と、排気孔を設けた中空体からなり、少なくとも上室部を形成する中空体が温度変化により可逆的に変色する線香又は薫香用変色性燃焼具。
【請求項２】
前記上室部を形成する中空体外面に可逆熱変色性材料を含む可逆熱変色層を設けてなる請求項１記載の線香又は薫香用変色性燃焼具。
【請求項３】
前記上室部を形成する中空体が樹脂成形体により形成されてなり、且つ、樹脂成形体中に可逆熱変色性材料を含有してなる請求項１記載の線香又は薫香用変色性燃焼具。
【請求項４】
前記上室部の内容積が下室部の内容積よりも小さい請求項１乃至３のいずれかに記載の線香又は薫香用変色性燃焼具。
【発明の詳細な説明】
【技術分野】
【０００１】
本発明は、線香又は薫香用変色性燃焼具に関する。更に詳細には、線香や薫香から得られる煙や香りと共に色変化を楽しむことができる線香又は薫香用変色性燃焼具に関する。
【背景技術】
【０００２】
従来より、線香や薫香は煙や香りを楽しむ用途、蚊取り線香のように害虫を駆除する用途に線香や薫香の燃焼具が用いられている。近年、アロマテラピーやお香の利用が増加しており、煙や香りを楽しむのみでなく、視覚による新たな楽しみを付与した燃焼具が開示されている（例えば、特許文献１参照）。
【特許文献１】特開２００６−２４７１６７号公報
【発明の開示】
【発明が解決しようとする課題】
【０００３】
本発明は前記線香や薫香を燃焼させる燃焼具において、煙や香りを楽しむことができると共に、色変化という新たな楽しみを付与した線香又は薫香用燃焼具を提供しようとするものである。
【課題を解決するための手段】
【０００４】
本発明は、線香又は薫香を収容して燃焼させる下室部と、下室部上方に位置し、且つ、下室部と連通する上室部と、排気孔を設けた中空体からなり、少なくとも上室部を形成する中空体が温度変化により可逆的に変色する線香又は薫香用変色性燃焼具を要件とする。
更には、前記上室部を形成する中空体外面に可逆熱変色性材料を含む可逆熱変色層を設けてなること、前記上室部を形成する中空体が樹脂成形体により形成されてなり、且つ、樹脂成形体中に可逆熱変色性材料を含有してなること、前記上室部の内容積が下室部の内容積よりも小さいこと等を要件とする。
【発明の効果】
【０００５】
本発明は、煙や香りを楽しむことができると共に、色変化による意外性や変色の妙味を付与した新奇性を有する線香又は薫香用変色性燃焼具を提供できる。
【発明を実施するための最良の形態】
【０００６】
前記線香又は薫香用変色性燃焼具は中空体であって、線香又は薫香を収容して燃焼させるための下室部（空間部）を有する。
前記下室部の形状及び大きさは通常の線香や薫香が収容できる形状、大きさであれば特に限定されるものではなく、材質としては石材、金属、ガラス、陶磁器、樹脂として熱硬化性樹脂等が挙げられ、特に熱硬化性樹脂が好適に用いられる。
前記上室部は、下室部上方に位置し、且つ、下室部と連通した空間部分である。従って、下室部で線香や薫香を燃焼させると、熱は上室部に集中するため、上室部は加温され易くなる。
また、中空体には煙や香りを放出する排気孔を設けてなる。
更に、所望により空気を吸入する吸入孔を設けてもよいし、前記排気孔が吸入孔を兼ねる構成であってもよい。
【０００７】
前記変色性燃焼具の構造を具体的に説明する。
前記中空体の下室部に線香や薫香を収容するために下室部の中空体の側面に開口部を有し、前記開口部より線香や薫香を入れて燃焼させる構造の変色性燃焼具が挙げられる（図３参照）。
前記中空体は下室部と上室部とからなる一体構造の他、下室部を形成する下部中空体と上室部を形成する上部中空体とからなる別体構造であってもよい（図４参照）。
前記上室部を形成する中空体は温度変化により可逆的に変色する構成であって、上室部を形成する中空体外面に可逆熱変色性材料を含む可逆熱変色層を設けたり、上室部を形成する中空体が樹脂により成形される場合は、該樹脂中に可逆熱変色性材料を含有させた可逆熱変色性樹脂成形体を中空体として用いることもできる。
【０００８】
更に、別の構造の変色性燃焼具として、線香又は薫香を覆う構造が挙げられる。
これは、線香や薫香を保持する保持部材と、線香又は薫香を覆う中空体（被覆部材）とからなる。
前記保持部材は線香や薫香を載置する容器や平板の他、平板上に突出した突起部分に線香や薫香を固定する形状であってもよい。
前記中空体は下室部と上室部を備えてなり、保持部材に線香や薫香をセットした後、中空体で線香や薫香を覆って実用に供する（図５参照）。
前記上室部を形成する中空体は温度変化により可逆的に変色する構成であって、上室部を形成する中空体外面に可逆熱変色性材料を含む可逆熱変色層を設けたり、中空体が樹脂により成形される場合は、該樹脂中に可逆熱変色性材料を含有させた可逆熱変色性樹脂成形体を中空体として用いることもできる。
前記中空体は下室部と上室部とからなる一体構造の他、下室部を形成する下部中空体と上室部を形成する上部中空体とからなる別体構造であってもよい（図６参照）。
【０００９】
更に、別の構造の変色性燃焼具として、線香又は薫香を収容した容器に蓋をして覆う構造が挙げられる。
これは、上部に開口部を設けた線香又は薫香を収容する容器と、前記容器の開口部を覆う被覆部材（蓋）とからなり、前記容器は下室部を備えた中空体として機能し、被覆部材は上室部を備えた中空体として機能する（図７参照）。
前記上室部を備えた中空体（被覆部材）は温度変化により可逆的に変色する構成であって、外面に可逆熱変色性材料を含む可逆熱変色層を設けたり、中空体が樹脂により成形される場合は、該樹脂中に可逆熱変色性材料を含有させた可逆熱変色性樹脂成形体を中空体として用いることもできる（図８参照）。
【００１０】
前記可逆熱変色性材料としては、電子供与性呈色性有機化合物と電子受容性化合物と呈色反応を可逆的に生起させる有機化合物媒体の三成分を含む可逆熱変色性組成物が好適に用いられる。具体的には、特公昭５１−３５４１４号公報、特公昭５１−４４７０６号公報、特公昭５１−４４７０８号公報、特公昭５２−７７６４号公報、特公平１−１７１５４号公報、特公平１−２９３９８号公報、特開平７−１８６５４６号公報等に記載のものが挙げられる。前記は所定の温度（変色点）を境としてその前後で変色し、変化前後の両状態のうち常温域では特定の一方の状態しか存在し得ない。即ち、もう一方の状態は、その状態が発現するのに要する熱又は冷熱が適用されている間は維持されるが、前記熱又は冷熱の適用がなくなれば常温域で呈する状態に戻る、所謂、温度変化による温度−色濃度曲線において小さいヒステリシス幅（ΔＨ）を示して変色するタイプである。
【００１１】
又、本出願人が提案した特公平４−１７１５４号公報、特開平７−１７９７７７号公報、特開平７−３３９９７号公報等に記載されている大きなヒステリシス特性を示して変色する色彩記憶性を有する可逆熱変色性組成物、即ち、温度変化による着色濃度の変化をプロットした曲線の形状が、温度を変色温度域より低温側から温度を上昇させていく場合と逆に変色温度より高温側から下降させていく場合とで大きく異なる経路を辿って変色するタイプの変色材であり、低温側変色点と高温側変色点の間の温度域において、前記低温側変色点以下又は高温側変色点以上の温度で変化させた状態を択一的に保持できる可逆熱変色性組成物も有効である。
【００１２】
更に、電子受容性化合物として炭素数３乃至１８の直鎖又は側鎖アルキル基を有する特定のアルコキシフェノール化合物（特開平１１−１２９６２３号公報）、特定のヒドロキシ安息香酸エステル（特開２００１−１０５７３２号公報）、没食子酸エステル（特開２００３−２５３１４９号公報）等を用いた加熱発色型の可逆熱変色性組成物を用いることもできる。
【００１３】
前記した可逆熱変色性組成物は、そのままの適用でも有効であるが、マイクロカプセルに内包したマイクロカプセル顔料として使用することが好ましい。それは、種々の使用条件において可逆熱変色性組成物は同一の組成に保たれ、同一の作用効果を奏することができるからである。
前記マイクロカプセルに内包させることにより、化学的、物理的に安定な顔料を構成でき、粒子径０．０１〜１００μｍ、好ましくは０．１〜５０μｍ、より好ましくは０．１〜３０μｍの範囲が実用性を満たす。
尚、マイクロカプセル化は、界面重合法、ｉｎ  Ｓｉｔｕ重合法、液中硬化被覆法、水溶液からの相分離法、有機溶媒からの相分離法、融解分散冷却法、気中懸濁被覆法、スプレードライング法等があり、用途に応じて適宜選択される。更にマイクロカプセルの表面には、目的に応じて更に二次的な樹脂皮膜を設けて耐久性を付与させたり、表面特性を改質させて実用に供することもできる。
【００１４】
前記可逆熱変色性材料はバインダー中に分散されて、インキや塗料として適用され、可逆熱変色層を形成できる。
又、インキや塗料中に一般染料、顔料等の着色剤を含有して多彩な色変化を呈する可逆熱変色層を形成することもできる。
前記可逆熱変色層は上室部を形成する中空体外面に直接又は着色層を介して設けられる。
前記可逆熱変色層は、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等の手段により形成することができる。
なお、前記可逆熱変色層は、上室部を形成する中空体外面のみでなく、下室部を形成する中空体外面にも設けることができる。
前記中空体と可逆熱変色層の間、或いは、可逆熱変色層上には非変色像を設けることもできる。
更に、樹脂として例えば熱硬化性樹脂中に前記可逆熱変色性材料を含有して成形した成形物により上室部を形成する中空体を形成することもできる。
なお、下室部も樹脂により形成される場合、上室部を形成する中空体と同様に樹脂中にも可逆熱変色性材料を含有させることができる。
なお、前記可逆熱変色性材料は色調や変色温度の異なる材料を複数種併用して用いることもできる。
【００１５】
前記可逆熱変色層上や可逆熱変色性材料を含有して成形した中空体上には、透明性金属光沢顔料を含む金属光沢層を設けることもできる。
前記透明性金属光沢顔料は、天然雲母、合成雲母、偏平ガラス片、薄片状酸化アルミニウム等から選ばれる透明性芯物質を金属酸化物で被覆したものが挙げられる。
前記金属酸化物としては、チタン、ジルコニウム、クロム、バナジウム、鉄等の金属酸化物を例示できるが、好適には酸化チタンを主成分とする金属酸化物が挙げられる。
【００１６】
本発明の線香又は薫香用変色性燃焼具は、線香又は薫香を下室部にセットした後、燃焼させることにより煙や香りが発生し、それと共に発生する熱が上室部に集中するため、上室部表面は色変色し、煙や香りが排気孔から排出されるのみでなく、初期とは異なる様相変化を視認できる。
【実施例】
【００１７】
実施例１（図３参照）
白色ポリエステル系熱硬化性樹脂を成形して内部に中空部分を有し、側面に開口部を有する中空体２を得た。
前記中空体の中空部分は下方の内容積が大きな下室部と、下室部に連通し、上方に位置する前記下室部より内容積が小さな上室部とからなり、上室部の略中央部分には排気孔を
設けてなる。
上記上室部を形成する中空体外面に、３−ジブチルアミノ−６−メチル−７−アニリノフルオラン３部、４，４−デシリデンビスフェノール５部、セチルアルコール２５部、カプリン酸ステアリル２５部からなる加熱消色型の可逆熱変色性組成物を内包した可逆熱変色性マイクロカプセル顔料（ｔ１：２６℃、ｔ２：２９℃、ｔ３：２９℃、ｔ４：３３℃、黒色から無色に変色する）１０部、５０％アクリル樹脂キシレン溶液５０部、イソシアネート系硬化剤１０部、キシレン５０部、添加剤１部からなる塗料をスプレー塗装して可逆変色性層３を設けて線香又は薫香用変色性燃焼具１を得た。
【００１８】
前記変色性燃焼具の開口部から蚊取り線香４を下室部内に収容して線香を燃焼させると、線香から発生する煙は排気孔から外部に放出されると共に、発生する熱が上室部に集中するため、上室部外面は黒色から白色に変色し、煙の排出が視認されるのみでなく、色変化も視認できた。
【００１９】
実施例２（図４参照）
黄色エポキシ樹脂系熱硬化性樹脂を成形して内部に中空部分を有し、上面及び側面に開口部を有する下部中空体２１を得た。
これとは別に黄色エポキシ樹脂系熱硬化性樹脂１００部と、３−（４−ジエチルアミノ−２−エトキシフェニル）−３−（１−エチル−２−メチルインドール−３−イル）−４−アザフタリド１部、４，４′−（２−エチルヘキシリデン）ビスフェノール５部、ステアリン酸デシル５０部からなる加熱消色型の可逆熱変色性組成物を内包した可逆熱変色性マイクロカプセル顔料（ｔ１：２７℃、ｔ２：３０℃、ｔ３：３１℃、ｔ４：３５℃、青色から無色に変色する）５部、光安定剤１部を混合、成形して下面に開口部を有し、且つ、上面に排気孔を備えた上部中空体２２を得た。
前記下部中空体２１と上部中空体２２を嵌合して線香又は薫香用変色性燃焼具１を得た。
【００２０】
前記変色性燃焼具の開口部から蚊取り線香４を下室部内に収容して線香を燃焼させると、線香から発生する煙は排気孔から外部に放出されると共に、発生する熱が上室部に集中するため、上室部は緑色から黄色に変色し、煙の排出が視認されるのみでなく、色変化も視認できた。
【００２１】
実施例３（図５参照）
青色ポリエステル系熱硬化性樹脂を成形して平板状の保持部材５を得た。
これとは別に白色ポリエステル系熱硬化性樹脂を成形して内部に中空部分を有し、上面に排気孔を有する中空体２（被覆部材）を得た。
前記中空体は下方の内容積が大きな下室部と、下室部に連通し、上方に位置する前記下室部より内容積が小さな上室部とからなる。
前記上室部を形成する中空体外面に、３−ジエチルアミノ−７，８−ベンゾフラン２部、４，４′−デシリデンビスフェノール５部、ミリスチン酸ミリスチル５０部からなる加熱消色型の可逆熱変色性組成物を内包した可逆熱変色性マイクロカプセル顔料（ｔ１：３１℃、ｔ２：３４℃、ｔ３：３７℃、ｔ４：４２℃、ピンク色から無色に変色する）１０部、非変色性青色顔料０．２部、５０％アクリル樹脂キシレン溶液５０部、イソシアネート系硬化剤１０部、キシレン５０部、添加剤１部からなる塗料をスプレー塗装して可逆変色性層３を設けて線香又は薫香用変色性燃焼具１を得た。
【００２２】
前記変色性燃焼具の保持部材５上に蚊取り線香４を載置し、中空体で覆って線香を燃焼させると、線香から発生する煙は排気孔から外部に放出されると共に、発生する熱が上室部に集中するため、上室部外面は紫色から青色に変色し、煙の排出は視認されるのみでなく、色変色も視認できた。
【００２３】
実施例４（図６参照）
白色エポキシ樹脂系熱硬化樹脂を成形して平板状の保持部材５を得た。
これとは別に白色エポキシ樹脂系熱硬化性樹脂を成形して内部に中空部分を有し、上面に開口部を有する下部中空体２１を得た。
更に、白色エポキシ樹脂系熱硬化性樹脂１００部と、３−（４−ジエチルアミノ−２−エトキシフェニル）−３−（１−エチル−２−メチルインドール−３−イル）−４−アザフタリド１部、４，４′−（２−エチルヘキシリデン）ビスフェノール５部、ステアリン酸デシル５０部からなる加熱消色型の可逆熱変色性組成物を内包した可逆熱変色性マイクロカプセル顔料（ｔ１：２７℃、ｔ２：３０℃、ｔ３：３１℃、ｔ４：３５℃、青色から無色に変色する）２部、３−ジエチルアミノ−７，８−ベンゾフラン２部、４，４′−デシリデンビスフェノール５部、ミリスチン酸ミリスチル５０部からなる加熱消色型の可逆熱変色性組成物を内包した可逆熱変色性マイクロカプセル顔料（ｔ１：３１℃、ｔ２：３４℃、ｔ３：３７℃、ｔ４：４２℃、ピンク色から無色に変色する）３部、光安定剤１部を混合、成形して下面に開口部を有し、且つ、上面に排気孔を備えた上部中空体２２を得た。
前記下部中空体２１と上部中空体２２を嵌合して被覆部材（中空体）を得た。
【００２４】
前記変色性燃焼具の保持部材５上に蚊取り線香４を載置し、中空体で覆って線香を燃焼させると、線香から発生する煙は排気孔から外部に放出されると共に、発生する熱が上室部に集中するため、上部中空体は紫色からピンク色、更に白色に変色し、煙の排出が視認されるのみでなく、色変化も視認できた。
【００２５】
実施例５（図７参照）
黄色ポリエステル系熱硬化性樹脂を成形して容器形状の下部中空体２１を得た。
これとは別に黄色ポリエステル系熱硬化性樹脂を成形して内部に中空部分を有し、上面に排気孔を有する上部中空体２２（蓋）を得た。
前記中空体外面に、３−エチル（３−メチルブチル）アミノ−７，８−ベンゾフラン２部、没食子酸テトラデシル８部、カプリン酸セチル２０部、ミリスチルアルコール５部、２−（５−ｔ−ブチル−２−ヒドロキシフェニル）ベンゾトリアゾール１部からなる加熱発色型の可逆熱変色性組成物を内包した可逆熱変色性マイクロカプセル顔料（Ｔ１：２２℃、Ｔ２：３１℃、Ｔ３：４３℃、Ｔ４：６０℃、無色からピンク色に変色する）１０部、５０％アクリル樹脂キシレン溶液５０部、イソシアネート系硬化剤１０部、キシレン５０部、添加剤１部からなる塗料をスプレー塗装して可逆変色性層３を設けて線香又は薫香用変色性燃焼具１を得た。
【００２６】
前記変色性燃焼具の下部中空体に蚊取り線香４を収容し、上部中空体で覆って線香を燃焼させると、線香から発生する煙は排気孔から外部に放出されると共に、発生する熱が上部中空体に集中するため、上部中空体外面は黄色から赤色に変色し、煙の排出が視認されるのみでなく、色変化も視認できた。
【００２７】
実施例６（図８参照）
白色エポキシ樹脂系熱硬化性樹脂を成形して容器形状の下部中空体２１を得た。
これとは別に白色エポキシ樹脂系熱硬化性樹脂１００部、３−エチル（３−メチルブチル）アミノ−７，８−ベンゾフラン２部、没食子酸テトラデシル８部、カプリン酸セチル２０部、ミリスチルアルコール５部、２−（５−ｔ−ブチル−２−ヒドロキシフェニル）ベンゾトリアゾール１部からなる加熱発色型の可逆熱変色性組成物を内包した可逆熱変色性マイクロカプセル顔料（Ｔ１：２２℃、Ｔ２：３１℃、Ｔ３：４３℃、Ｔ４：６０℃、無色からピンク色に変色する）４部、３−（４−ジエチルアミノ−２−エトキシフェニル）−３−（１−エチル−２−メチルインドール−３−イル）−４−アザフタリド１部、４，４´−（２−エチルヘキシリデン）ビスフェノール５部、ステアリン酸デシル５０部からなる加熱消色型の可逆熱変色性組成物を内包した可逆熱変色性マイクロカプセル顔料（ｔ１：２７℃、ｔ２：３０℃、ｔ３：３１℃、ｔ４：３５℃、青色から無色に変色する）３部、光安定剤１部を混合、成形して内部に中空部分を有し、且つ、上面に排気孔を有する上部中空体２２（蓋）を得た。
前記下部中空体２１と上部中空体２２を嵌め合わせて線香又は薫香用変色性燃焼具１を得た。
【００２８】
前記変色性燃焼具の下部中空体に蚊取り線香４を収容し、上部中空体で覆って線香を燃焼させると、線香から発生する煙は排気孔から外部に放出されると共に、発生する熱が上部中空体に集中するため、上部中空体は青色から白色になり、更にピンク色に変色し、煙の排出が視認されるのみでなく、色変化も視認できた。
【００２９】
実施例７（図９参照）
白色ポリエステル系熱硬化性樹脂を成形して内部に中空部分を有し、側面に開口部を有する中空体２を得た。
前記中空体の中空部分は下方の内容積が大きな下室部と、下室部に連通し、上方に位置する前記下室部より内容積が小さな上室部とからなり、上室部の略中央部分には排気孔を
設けてなる。
上記上室部を形成する中空体外面に、３−ジブチルアミノ−６−メチル−７−アニリノフルオラン３部、４，４−デシリデンビスフェノール５部、セチルアルコール２５部、カプリン酸ステアリル２５部からなる加熱消色型の可逆熱変色性組成物を内包した可逆熱変色性マイクロカプセル顔料（ｔ１：２６℃、ｔ２：２９℃、ｔ３：２９℃、ｔ４：３３℃、黒色から無色に変色する）１０部、５０％アクリル樹脂キシレン溶液５０部、イソシアネート系硬化剤１０部、キシレン５０部、添加剤１部からなる塗料をスプレー塗装して可逆変色性層３を設けた。
更に、前記可逆熱変色層上に金色金属光沢顔料（商品名：イリオジン７２０５、メルクジャパン製）５部、５０％アクリル樹脂キシレン溶液５０部、イソシアネート系硬化剤１０部、キシレン５０部、添加剤１部からなる塗料をスプレー塗装して金属光沢層６を設けて線香又は薫香用変色性燃焼具１を得た。
【００３０】
前記変色性燃焼具の開口部から蚊取り線香４を下室部内に収容して線香を燃焼させると、線香から発生する煙は排気孔から外部に放出されると共に、発生する熱が上室部に集中するため、上室部外面は金色から白色に変色し、煙の排出が視認されるのみでなく、色変化も視認できた。
【００３１】
実施例８（図１０参照）
青色ポリエステル系熱硬化性樹脂を成形して平板状の保持部材５を得た。
これとは別に白色ポリエステル系熱硬化性樹脂を成形して内部に中空部分を有し、上面に排気孔を有する中空体２（被覆部材）を得た。
前記中空体は下方の内容積が大きな下室部と、下室部に連通し、上方に位置する前記下室部より内容積が小さな上室部とからなる。
前記上室部を形成する中空体外面に、非変色青色顔料１部、５０％アクリル樹脂キシレン溶液５０部、イソシアネート系硬化剤１０部、キシレン５０部、添加剤１部からなる塗料を用いて、花柄のスプレーマスクを通してスプレー塗装して花柄の非変色像７を設けた。
更に前記非変色像上に、３−（４−ジエチルアミノ−２−エトキシフェニル）−３−（１−エチル−２−メチルインドール−３−イル）−４−アザフタリド１部、４，４′−（２−エチルヘキシリデン）ビスフェノール５部、ステアリン酸デシル５０部からなる加熱消色型の可逆熱変色性組成物を内包した可逆熱変色性マイクロカプセル顔料（ｔ１：２７℃、ｔ２：３０℃、ｔ３：３１℃、ｔ４：３５℃、青色から無色に変色する）１０部、５０％アクリル樹脂キシレン溶液５０部、イソシアネート系硬化剤１０部、キシレン５０部、添加剤１部からなる塗料を用いて、スプレー塗装して可逆変色性層３を設けて線香又は薫香用変色性燃焼具１を得た。
【００３２】
前記変色性燃焼具の保持部材５上に蚊取り線香４を載置し、中空体で覆って線香を燃焼させると、線香から発生する煙は排気孔から外部に放出されると共に、発生する熱が上室部に集中するため、上室部外面は青色から白地に非変色像による花柄が現出し、煙の排出は視認されるのみでなく、様相変化も視認できた。
【図面の簡単な説明】
【００３３】
【図１】加熱消色型の可逆熱変色性マイクロカプセル顔料の変色挙動を示す説明図である。
【図２】加熱発色型の可逆熱変色性マイクロカプセル顔料の変色挙動を示す説明図である。
【図３】本発明線香又は薫香用変色性燃焼具の一実施例の縦断面図である。
【図４】本発明線香又は薫香用変色性燃焼具の他の実施例の縦断面図である。
【図５】本発明線香又は薫香用変色性燃焼具の他の実施例の縦断面図である。
【図６】本発明線香又は薫香用変色性燃焼具の他の実施例の縦断面図である。
【図７】本発明線香又は薫香用変色性燃焼具の他の実施例の縦断面図である。
【図８】本発明線香又は薫香用変色性燃焼具の他の実施例の縦断面図である。
【図９】本発明線香又は薫香用変色性燃焼具の他の実施例の縦断面図である。
【図１０】本発明線香又は薫香用変色性燃焼具の他の実施例の縦断面図である。
【符号の説明】
【００３４】
ｔ１  加熱消色型の可逆熱変色性組成物の完全発色温度
ｔ２  加熱消色型の可逆熱変色性組成物の発色開始温度
ｔ３  加熱消色型の可逆熱変色性組成物の消色開始温度
ｔ４  加熱消色型の可逆熱変色性組成物の完全消色温度
Ｔ１  加熱発色型の可逆熱変色性組成物の完全消色温度
Ｔ２  加熱発色型の可逆熱変色性組成物の消色開始温度
Ｔ３  加熱発色型の可逆熱変色性組成物の発色開始温度
Ｔ４  加熱発色型の可逆熱変色性組成物の完全発色温度
１  線香又は薫香用変色性燃焼具
２  中空体
２１  下部中空体
２２  上部中空体
３  可逆熱変色層
４  線香
５  保持部材
６  金属光沢層
７  非変色像
【図１】
2009183650.tif 000003
【図２】
2009183650.tif 000004
【図３】
2009183650.tif 000005
【図４】
2009183650.tif 000006
【図５】
2009183650.tif 000007
【図６】
2009183650.tif 000008
【図７】
2009183650.tif 000009
【図８】
2009183650.tif 000010
【図９】
2009183650.tif 000011
【図１０】
2009183650.tif 000012